(57)【要約】【課題】不要なときにはメッセージ表示を看えないようにし、この隠されていたメッセージ表示が光照射によって看ることができるようにすることで、意外性や面白味のある表示形態とすることができる表示装置を提供することを目的とする。【解決手段】可視光領域で隠蔽可能となるよう蛍光体を用いてメッセージ、絵柄、名前等の表示６ａを付記可能とした表示部６を有する表示装置１の用具セットである。そして、保持部材４に、前記表示６ａを光照射によって発光現出させる発光体２と、前記表示６ａ付記用の蛍光ペン３とを保持させて構成される。【選択図】図１
0003125061.tif 000002
【実用新案登録請求の範囲】
【請求項１】
可視光領域で隠蔽可能となるよう蛍光体を用いてメッセージ、絵柄、名前等の表示を付記可能とした表示部を有する表示装置の用具セットであって、保持部材に、前記表示を光照射によって発光現出させる発光体と、前記表示付記用の蛍光ペンとを保持させたことを特徴とする表示装置の用具セット。
【考案の詳細な説明】
【技術分野】
【０００１】
本考案は、光照射によって可視光領域では隠されていた表示が光照射によって看られるようにした表示装置の用具セットに関する。
【背景技術】
【０００２】
従来、誕生日カード、クリスマスカード、ギフトカード、写真立て、ネームプレート等は、メッセージ、絵柄、名前等の表示が外部から常時看えるように、例えば油性もしくは水性のマジックペン等で記載している。
【特許文献１】特になし
【考案の開示】
【考案が解決しようとする課題】
【０００３】
しかしながら、従来においては、メッセージ、絵柄、名前等の表示が可視光領域では常時露見しており、これによって誰もが読み取りが可能となるため、趣味商品として用いられる場合、意外性や面白味に欠けるものであった。
【０００４】
そこで、本考案は、叙上のような従来存した事情に鑑み案出されたもので、不要なときには表示を可視光領域では看えないように蛍光体にて記載し、この隠されている表示が光照射によって看ることができるようにすることで、意外性や面白味のある表示形態を容易に形成することができる表示装置の用具セットを提供することを目的とする。
【課題を解決するための手段】
【０００５】
上述した課題を解決するため、本考案にあっては、可視光領域で隠蔽可能となるよう蛍光体を用いてメッセージ、絵柄、名前等の表示を付記可能とした表示部を有する表示装置の用具セットであって、保持部材に、前記表示を光照射によって発光現出させる発光体と、前記表示付記用の蛍光ペンとを保持させたことを特徴とする。
【考案の効果】
【０００６】
本考案によれば、不要なときには蛍光体を用いて可視光領域ではメッセージ、絵柄、名前等の表示を見えないようにし、この隠されていた当該表示が光照射によって看ることができるようになっている表示装置において、前記表示を付記する蛍光ペンと、付記された表示を光照射によって発光現出させる発光体とを、保持部材に保持させたものであるから、メッセージ、絵柄、名前等の表示を付記する作業と、当該表示に対する光照射作業をともに簡単迅速に行なえ、かつ表示装置の利用に不可欠な用具である蛍光ペンと発光体の紛失も防止できる効果を奏するものである。
【考案を実施するための最良の形態】
【０００７】
以下、図面を参照して本考案を実施するための最良の一形態を説明する。
図において示される符号１は表示装置、２は発光体、３は蛍光ペン、４は保持部材をそれぞれ示す。
【０００８】
表示装置１は、図１および図２に示すように、金属性、プラスチック製、木製等のプレート５の表面に、可視光領域では隠蔽可能をなるよう蛍光ペン３を用いてメッセージ、絵柄、名前等の表示６ａを付記可能とした表示部６を有する。
尚、図示例において、プレート５は矩形に形成されているが、円形、三角形、楕円形等任意の形状を選択できることは勿論である。
【０００９】
しかし、表示装置１としては、図１以外にも、例えば、誕生日カード、クリスマスカード、ギフトカード等のカード類、写真立てまたは、ペンダント、ブレスレット、指輪、キーホルダー等の飾り具等を用い、これらの適宜部位に前記と同じ表示６ａが付記可能な表示部６を設けても良い。
【００１０】
表示装置１は、その上端には取付金具７が付設されており、この取付金具７を介して保持部材４に脱着自在に取着される。また、蛍光ペン３も、その上端に取付金具８が付設されており、この取付金具８を介して保持部材４に脱着自在に取着される。
【００１１】
発光体２は、蛍光ペン３でメッセージ、絵柄、名前等の表示６ａを付記した表示装置１の表示部６を、所謂ブラックライトと称呼する紫外線を光照射して可視光線では隠されていたメッセージ、絵柄、名前等の表示６ａを、可視光領域で目に看えるように所望の色に発光現出させるものである。
【００１２】
この発光体２は、図３に示したように、円盤状のケース９に電源としてボタン電池１０が内蔵されており、一端に紫外線発光ランプ１１が付設されると共に、他端に取付金具１２が付設されて、この取付金具１２を介して保持部材４に脱着自在に取着されるものとなっている。
【００１３】
尚、発光体２の形状は、図示例に限られるものではなく、角形状や棒状のものであっても良いことは勿論である。また、表示装置１の表示部６はプレート５の表面に直接蛍光体による表示６ａを付記可能とすることができるが、例えばシール紙１３を介して蛍光体による表示６ａを付記可能とすることもできる。さらに、保持部材４としては、カバンやキーホルダー等に取り付けるチェーンリング等でも良く、また、携帯電話と同様、首に吊り下げることができるネックストラップ等でも良い。
【００１４】
次に、本構成による表示装置１の使用、動作について説明する。
図１に示したように、表示装置１、蛍光ペン３および発光体２を３個とも保持部材４に保持させておくこともできるし、また、図４に示したように、蛍光ペン３と発光体２のみを保持部材４に保持させておくこともできる。
【００１５】
そこで、保持部材４に保持させたまま、あるいはこれから取り外して蛍光ペン３を手に持って、表示装置１の表示部６に対してメッセージ、絵柄、名前等の表示６ａを付記させる。このとき、表示６ａは可視光領域では隠蔽状態となっていることは勿論である。
尚、このとき、表示部６へ直接表示６ａを付記させることもできるが、シール紙１３上に表示６ａを付記させた後、当該シール紙１３を表示部６へ貼着するようにしても良いことは既述したとおりである。
【００１６】
次いで、保持部材４に保持させたまま、あるいはこれら取り外して発光体２を手に持って、紫外線発光ランプ１１を前記表示部６の表示６ａに光照射させると、当該表示６ａが発光現出され、通常の可視光領域での読み取りが可能となるものである。
【図面の簡単な説明】
【００１７】
【図１】本考案を実施するための最良の形態における表示装置と用具セットを示す説明図である。
【図２】同じく表示装置の使用状態を示す説明図である。
【図３】同じく発光体を示すもので、（ａ）は平面図、（ｂ）は正面図である。
【図４】同じく他例の用具セットを示す説明図である。
【符号の説明】
【００１８】
１    表示装置
２    発光体
３    蛍光ペン
４    保持部材
５    プレート
６    表示部
６ａ  表示
７    取付金具
８    取付金具
９    ケース
１０  ボタン電池
１１  紫外線発光ランプ
１２  取付金具
１３  シール紙
【図１】
0003125061.tif 000003
【図２】
0003125061.tif 000004
【図３】
0003125061.tif 000005
【図４】
0003125061.tif 000006